(57)【要約】【課題】同じ周波数帯域を使用する複数のサイトに無線リソースを割り当てる方法及び装置を提供する。【解決手段】前記方法は、複数のサイトで共通的に使われるリソース割当単位を決定し、及び前記リソース割当単位に基づいて前記複数のサイトにリソースを割り当て、前記リソース割当単位には前記複数のサイトの各々に割り当てられる無線リソースが時間領域で区分されて配置されることを特徴とする。一側面で、同じ周波数帯域を使用する複数のサイトに無線リソースを割り当てる方法を提供する。【選択図】図１５
2016519885.tif 000002
【特許請求の範囲】
【請求項１】
同じ周波数帯域を使用する複数のサイトに無線リソースを割り当てる方法において、
前記複数のサイトで共通的に使われるリソース割当単位を決定し、及び
前記リソース割当単位に基づいて前記複数のサイトにリソースを割り当て、
前記リソース割当単位には前記複数のサイトの各々に割り当てられる無線リソースが時間領域で区分されて配置されることを特徴とする方法。
【請求項２】
前記リソース割当単位に含まれるサブフレームの個数は、前記複数のサイトの各々でのＨＡＲＱ(ｈｙｂｒｉｄ  ａｕｔｏｍａｔｉｃ  ｒｅｐｅａｔ  ｒｅｑｕｅｓｔ)周期に基づいて決定されることを特徴とする請求項１に記載の方法。
【請求項３】
前記複数のサイトの各々に位置した基地局及び端末は、ＦＤＤ(ｆｒｅｑｕｅｎｃｙ  ｄｉｖｉｓｉｏｎ  ｄｕｐｌｅｘ)方式に動作することを特徴とする請求項２に記載の方法。
【請求項４】
前記リソース割当単位は、一つのフレーム内に含まれている、ダウンリンクサブフレームの個数とダウンリンクＨＡＲＱプロセスの最大個数の最小公倍数を求め、前記最小公倍数の個数ほどのダウンリンクサブフレームを含むフレームの個数に決定されることを特徴とする請求項１に記載の方法。
【請求項５】
前記複数のサイトの各々に位置した基地局及び端末は、ＴＤＤ(ｔｉｍｅ  ｄｉｖｉｓｉｏｎ  ｄｕｐｌｅｘ)方式に動作することを特徴とする請求項４に記載の方法。
【請求項６】
前記複数のサイトが第１のサイト及び第２のサイトを含む場合、前記第１のサイトに位置した第１の基地局及び第１の端末の通信に使われる第１のサブフレームと、前記第２のサイトに位置した第２の基地局及び第２の端末の通信に使われる第２のサブフレームとは、前記リソース割当単位内で時間領域で重ならないことを特徴とする請求項１に記載の方法。
【請求項７】
前記第１のサブフレーム及び前記第２のサブフレームは、前記リソース割当単位内で一定のパターンを有して配置されることを特徴とする請求項６に記載の方法。
【請求項８】
同じ周波数帯域を使用する複数のサイトに無線リソースを割り当てる装置において、
無線信号を送受信するＲＦ(ｒａｄｉｏ  ｆｒｅｑｕｅｎｃｙ)部；及び、
前記ＲＦ部と連結されるプロセッサ；を含み、
前記プロセッサは、前記複数のサイトで共通的に使われるリソース割当単位を決定し、及び
前記リソース割当単位に基づいて前記複数のサイトにリソースを割り当てるように設定され、
前記リソース割当単位には前記複数のサイトの各々に割り当てられる無線リソースが時間領域で区分されて配置されることを特徴とする装置。
【発明の詳細な説明】
【技術分野】
【０００１】
本発明は、無線通信に関し、より詳しくは、同じ周波数帯域を使用する複数のサイトにリソースを割り当てる方法及び装置に関する。
【背景技術】
【０００２】
次世代無線通信システムでは、ＭＴＣ(ｍａｃｈｉｎｅ  ｔｙｐｅ  ｃｏｍｍｕｎｉｃａｔｉｏｎ)、ＭＵ−ＭＩＭＯ(ｍｕｌｔｉ  ｕｓｅｒ−ｍｕｌｔｉ  ｉｎｐｕｔ  ｍｕｌｔｉ  ｏｕｔｐｕｔ)、互いに異なるＵＬ−ＤＬ設定(ｕｐｌｉｎｋ−ｄｏｗｎｌｉｎｋ  ｃｏｎｆｉｇｕｒａｔｉｏｎ)を使用する搬送波間のキャリアアグリゲーション、異種セル間のアグリゲーションなど、多様なサービスとシステム構成が可能である。異種セル間のアグリゲーションとは、既存のセルとＮＣＴ(ｎｅｗ  ｃａｒｒｉｅｒ  ｔｙｐｅ)を使用するセルのアグリゲーション、マクロセルとスモールセルのアグリゲーション、ＦＤＤ(ｆｒｅｑｕｅｎｃｙ  ｄｉｖｉｓｉｏｎ  ｄｕｐｌｅｘ)フレームを使用するセルとＴＤＤ(ｔｉｍｅ  ｄｉｖｉｓｉｏｎ  ｄｕｐｌｅｘ)フレームを使用するセルのアグリゲーションなどを含むことができる。
【０００３】
このようなシステム構成では、同じサイト(ｓｉｔｅ)に位置するセル間のアグリゲーションになることもできるが、互いに異なるサイトに位置するセル間のアグリゲーションになることもできる。後者の場合、サイト間の制御情報送信に遅延が存在して各サイト別に独立的にスケジューリングが実行されることができる。
【０００４】
互いに異なる位置に存在するサイトで同じ周波数の搬送波を使用して独立的なスケジューリングを実行する場合、各サイトでスケジューリングされたリソース間の衝突が発生できる。
【０００５】
このように互いに異なるサイトで同じ周波数の搬送波を使用する場合、各サイトにどのようにリソースを区分して割り当てるかが問題になる。
【発明の概要】
【発明が解決しようとする課題】
【０００６】
本発明が解決しようとする技術的課題は、同じ周波数を使用する複数のサイトにスケジューリングされるリソース間に衝突なくリソースを割り当てる方法及び装置を提供することである。
【課題を解決するための手段】
【０００７】
一側面で、同じ周波数帯域を使用する複数のサイトに無線リソースを割り当てる方法を提供する。前記方法は、前記複数のサイトで共通的に使われるリソース割当単位を決定し、及び前記リソース割当単位に基づいて前記複数のサイトにリソースを割り当て、前記リソース割当単位には前記複数のサイトの各々に割り当てられる無線リソースが時間領域で区分されて配置されることを特徴とする。
【０００８】
他の側面で提供される、同じ周波数帯域を使用する複数のサイトに無線リソースを割り当てる装置は、無線信号を送受信するＲＦ(ｒａｄｉｏ  ｆｒｅｑｕｅｎｃｙ)部；及び、前記ＲＦ部と連結されるプロセッサ；を含み、前記プロセッサは、前記複数のサイトで共通的に使われるリソース割当単位を決定し、及び前記リソース割当単位に基づいて前記複数のサイトにリソースを割り当てるように設定され、前記リソース割当単位には前記複数のサイトの各々に割り当てられる無線リソースが時間領域で区分されて配置されることを特徴とする。
【発明の効果】
【０００９】
同じ周波数を使用する複数のサイトにリソース衝突なくリソースを割り当てることができる。この場合、複数のサイトの各々にリソース割当単位を使用し、リソース割当単位は、各サイトでのＨＡＲＱ周期に基づいて設定されるため、各サイトが単独にスケジューリングされる時のＨＡＲＱを大きく変更せずに複数のサイトにリソースを割り当てることができる。
【図面の簡単な説明】
【００１０】
【図１】ＦＤＤ無線フレームの構造を示す。
【図２】ＴＤＤ無線フレームの構造を示す。
【図３】一つのダウンリンクスロットに対するリソースグリッド(ｒｅｓｏｕｒｃｅ  ｇｒｉｄ)の一例を示す。
【図４】ダウンリンク(ＤＬ)サブフレーム構造を示す。
【図５】アップリンクサブフレームの構造を示す。
【図６】アップリンクで使われる同期ＨＡＲＱ方式を例示する。
【図７】単一搬送波システムとキャリアアグリゲーションシステムの比較例である。
【図８】一つのＴＤＤセルでＵＬ−ＤＬ設定０〜２の各々に対してＤＬ  ＨＡＲＱプロセスの個数を決定する例を示す。
【図９】一つのＴＤＤセルでＵＬ−ＤＬ設定３〜５の各々に対してＤＬ  ＨＡＲＱプロセスの個数を決定する例を示す。
【図１０】一つのＴＤＤセルでＵＬ−ＤＬ設定６に対してＤＬ  ＨＡＲＱプロセスの個数を決定する例を示す。
【図１１】一つのＦＤＤセルのみが使われる場合の同期ＵＬ  ＨＡＲＱタイミングを示す。
【図１２】一つのＴＤＤセルで各ＵＬ−ＤＬ設定に対して既存同期ＵＬ  ＨＡＲＱタイミングを示す例である。
【図１３】一つのＴＤＤセルで各ＵＬ−ＤＬ設定に対して既存同期ＵＬ  ＨＡＲＱタイミングを示す例である。
【図１４】本発明の一実施例に係るリソース割当方法を示す。
【図１５】複数のサイトに無線リソースをＴＤＭ方式に割り当てる一例を示す。
【図１６】ＦＤＤ方式に動作する３個のサイトに対してＴＤＭ方式にリソースを割り当てる例を示す。
【図１７】システムフレーム番号とＨＡＲＱ周期を考慮したマッピングの一例である。
【図１８】本発明の実施例が具現される無線機器を示すブロック図である。
【発明を実施するための形態】
【００１１】
端末(Ｕｓｅｒ  Ｅｑｕｉｐｍｅｎｔ、ＵＥ)は、固定されてもよいし、移動性を有してもよく、ＭＳ(ｍｏｂｉｌｅ  ｓｔａｔｉｏｎ)、ＭＴ(ｍｏｂｉｌｅ  ｔｅｒｍｉｎａｌ)、ＵＴ(ｕｓｅｒ  ｔｅｒｍｉｎａｌ)、ＳＳ(ｓｕｂｓｃｒｉｂｅｒ  ｓｔａｔｉｏｎ)、無線機器(ｗｉｒｅｌｅｓｓ  ｄｅｖｉｃｅ)、ＰＤＡ(ｐｅｒｓｏｎａｌ  ｄｉｇｉｔａｌ  ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)等、他の用語で呼ばれることもある。
【００１２】
基地局は、一般的に端末と通信する固定局(ｆｉｘｅｄ  ｓｔａｔｉｏｎ)を意味し、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)等、他の用語で呼ばれることもある。
【００１３】
基地局から端末への通信をダウンリンク(ｄｏｗｎｌｉｎｋ：ＤＬ)といい、端末から基地局への通信をアップリンク(ｕｐｌｉｎｋ：ＵＬ)という。基地局及び端末を含む無線通信システムは、ＴＤＤ(ｔｉｍｅ  ｄｉｖｉｓｉｏｎ  ｄｕｐｌｅｘ)システムまたはＦＤＤ(ｆｒｅｑｕｅｎｃｙ  ｄｉｖｉｓｉｏｎ  ｄｕｐｌｅｘ)システムである。ＴＤＤシステムは、同じ周波数帯域で互いに異なる時間を使用してアップリンク及びダウンリンク送受信を実行する無線通信システムである。ＦＤＤシステムは、互いに異なる周波数帯域を使用して同時にアップリンク及びダウンリンク送受信が可能な無線通信システムである。無線通信システムは、無線フレームを使用して通信を実行することができる。
【００１４】
図１は、ＦＤＤ無線フレームの構造を示す。
【００１５】
ＦＤＤ無線フレーム(ＦＤＤ  ｒａｄｉｏ  ｆｒａｍｅ：以下、ＦＤＤフレームという)は１０個のサブフレームを含み、一つのサブフレーム(ｓｕｂｆｒａｍｅ)は２個の連続的なスロット(ｓｌｏｔ)を含む。ＦＤＤフレーム内に含まれるスロットは０〜１９のインデックスが付けられる。一つのサブフレームの送信にかかる時間をＴＴＩ(ｔｒａｎｓｍｉｓｓｉｏｎ  ｔｉｍｅ  ｉｎｔｅｒｖａｌ)といい、ＴＴＩは最小スケジューリング単位(ｍｉｎｉｍｕｍ  ｓｃｈｅｄｕｌｉｎｇ  ｕｎｉｔ)である。例えば、一つのサブフレームの長さは１ｍｓであり、一つのスロットの長さは０.５ｍｓである。無線フレームの長さをＴｆとすると、Ｔｆ＝３０７２００Ｔｓ＝１０ｍｓ(ｍｉｌｉ−ｓｅｃｏｎｄ)である。
【００１６】
ＦＤＤフレームは、互いに異なる周波数帯域にダウンリンクサブフレームとアップリンクサブフレームが連続的に存在する。即ち、ＦＤＤフレームは、第１の周波数帯域に１０個のダウンリンクサブフレームを含み、第２の周波数帯域に１０個のアップリンクサブフレームを含む。ＦＤＤフレーム内のダウンリンクサブフレーム及びアップリンクサブフレームは、０から９まで順序通りにインデックシングされることができる。
【００１７】
図２は、ＴＤＤ無線フレームの構造を示す。
【００１８】
図２を参照すると、ＴＤＤ無線フレーム(以下、ＴＤＤフレームという)は２個の半フレーム(ｈａｌｆ−ｆｒａｍｅ)を含み、一つの半フレームには５個のサブフレームが含まれ、ＴＤＤフレームは総１０個のサブフレームを含む。ＴＤＤフレームは、同じ周波数帯域でＵＬ(ｕｐｌｉｎｋ)サブフレーム、ＤＬ(ｄｏｗｎｌｉｎｋ)サブフレーム及びスペシャルサブフレーム(ｓｐｅｃｉａｌ  ｓｕｂｆｒａｍｅ：Ｓサブフレーム)を含む。ＴＤＤフレームのサブフレームに対してインデックスが０から付けられるとする時、インデックス＃１とインデックス＃６を有するサブフレームは、スペシャルサブフレームであり、スペシャルサブフレームは、ダウンリンクパイロット時間スロット(Ｄｏｗｎｌｉｎｋ  Ｐｉｌｏｔ  Ｔｉｍｅ  Ｓｌｏｔ：ＤｗＰＴＳ)、保護区間(Ｇｕａｒｄ  Ｐｅｒｉｏｄ：ＧＰ)及びアップリンクパイロット時間スロット(Ｕｐｌｉｎｋ  Ｐｉｌｏｔ  Ｔｉｍｅ  Ｓｌｏｔ：ＵｐＰＴＳ)を含む。ＤｗＰＴＳは、端末での初期セル探索、同期化またはチャネル推定に使われ、ダウンリンクに使われることができる。ＵｐＰＴＳは、基地局でのチャネル推定と端末のアップリンク送信同期を合わせるのに使われ、アップリンクに使われることができる。ＧＰは、アップリンクとダウンリンクとの間にダウンリンク信号の多重経路遅延によりアップリンクで発生する干渉を除去するための区間である。ＧＰ及びＵｐＰＴＳは、時間ギャップ(ｔｉｍｅ  ｇａｐ)役割を遂行することができる。
【００１９】
前述したように、ＴＤＤフレームには同じ周波数帯域でＤＬ(ｄｏｗｎｌｉｎｋ)サブフレームとＵＬ(Ｕｐｌｉｎｋ)サブフレームが共存する。表１は、ＴＤＤフレームのＵＬ−ＤＬ設定(ＵＬ−ＤＬ  ｃｏｎｆｉｇｕｒａｔｉｏｎ：ＵＬ−ＤＬ  ｃｏｎｆ.)の一例を示す。
【００２０】
【表１】
2016519885.tif 000003
【００２１】
表１において、‘Ｄ’はＤＬサブフレームを示し、‘Ｕ’はＵＬサブフレームを示し、‘Ｓ’はスペシャルサブフレームを示す。端末は、基地局からＵＬ−ＤＬ設定を受信すると、ＴＤＤフレームで各サブフレームがＤＬサブフレーム(または、Ｓサブフレーム)であるか、またはＵＬサブフレームであるかを知ることができる。
【００２２】
図３は、一つのダウンリンクスロットに対するリソースグリッド(ｒｅｓｏｕｒｃｅ  ｇｒｉｄ)の一例を示す。
【００２３】
図３を参照すると、ダウンリンクスロットは、時間領域で複数のＯＦＤＭ(ｏｒｔｈｏｇｏｎａｌ  ｆｒｅｑｕｅｎｃｙ  ｄｉｖｉｓｉｏｎ  ｍｕｌｔｉｐｌｅｘｉｎｇ)シンボルを含み、周波数領域でＮＲＢ個のリソースブロック(ＲＢ；Ｒｅｓｏｕｒｃｅ  Ｂｌｏｃｋ)を含む。リソースブロックは、リソース割当単位であって、時間領域で一つのスロット、周波数領域で複数の連続する副搬送波(ｓｕｂｃａｒｒｉｅｒ)を含む。ダウンリンクスロットに含まれるリソースブロックの数ＮＲＢは、セルで設定されるダウンリンク送信帯域幅(ｂａｎｄｗｉｄｔｈ)に従属する。例えば、ＬＴＥシステムにおいて、ＮＲＢは６乃至１１０のうちいずれか一つである。アップリンクスロットの構造も前記ダウンリンクスロットの構造と同様である。
【００２４】
リソースグリッド上の各要素(ｅｌｅｍｅｎｔ)をリソース要素(ｒｅｓｏｕｒｃｅ  ｅｌｅｍｅｎｔ、ＲＥ)という。リソースグリッド上のリソース要素は、スロット内のインデックス対(ｐａｉｒ)(ｋ,ｌ)により識別されることができる。ここで、ｋ(ｋ＝０,...,ＮＲＢ×１２−１)は周波数領域内の副搬送波インデックスであり、ｌ(ｌ＝０,...,６)は時間領域内のＯＦＤＭシンボルインデックスである。
【００２５】
図３では、一つのリソースブロックが、時間領域で７ＯＦＤＭシンボル、周波数領域で１２副搬送波で構成されて７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔(ｆｒｅｑｕｅｎｃｙ  ｓｐａｃｉｎｇ)などによって多様に変更されることができる。例えば、ＣＰ(ｃｙｃｌｉｃ  ｐｒｅｆｉｘ)の長さが拡張ＣＰ(ｅｘｔｅｎｄｅｄ  ＣＰ)である場合、リソースブロックは、６ＯＦＤＭシンボルを含む。一つのＯＦＤＭシンボルで、副搬送波の数は、１２８、２５６、５１２、１０２４、１５３６及び２０４８のうち一つを選定して使用することができる。
【００２６】
図４は、ダウンリンク(ＤＬ)サブフレーム構造を示す。
【００２７】
図４を参照すると、ＤＬ(ｄｏｗｎｌｉｎｋ)サブフレームは、時間領域で制御領域(ｃｏｎｔｒｏｌ  ｒｅｇｉｏｎ)とデータ領域(ｄａｔａ  ｒｅｇｉｏｎ)とに分けられる。制御領域は、サブフレーム内の第１のスロットの前方部の最大３個(場合によって、最大４個)のＯＦＤＭシンボルを含むが、制御領域に含まれるＯＦＤＭシンボルの個数は変わることができる。制御領域にはＰＤＣＣＨ(ｐｈｙｓｉｃａｌ  ｄｏｗｎｌｉｎｋ  ｃｏｎｔｒｏｌ  ｃｈａｎｎｅｌ)及び他の制御チャネルが割り当てられ、データ領域にはＰＤＳＣＨ(ｐｈｙｓｉｃａｌ  ｄｏｗｎｌｉｎｋ  ｓｈａｒｅｄ  ｃｈａｎｎｅｌ)、ＰＢＣＨ(Ｐｈｙｓｉｃａｌ  Ｂｒｏａｄｃａｓｔ  Ｃｈａｎｎｅｌ)が割り当てられることができる。
【００２８】
サブフレームの１番目のＯＦＤＭシンボルで送信されるＰＣＦＩＣＨ(Ｐｈｙｓｉｃａｌ  Ｃｏｎｔｒｏｌ  Ｆｏｒｍａｔ  Ｉｎｄｉｃａｔｏｒ  Ｃｈａｎｎｅｌ)は、サブフレーム内で制御チャネルの送信に使われるＯＦＤＭシンボルの数(即ち、制御領域の大きさ)に対するＣＦＩ(ｃｏｎｔｒｏｌ  ｆｏｒｍａｔ  ｉｎｄｉｃａｔｏｒ)を伝送する。まず、端末は、ＰＣＦＩＣＨ上にＣＦＩを受信した後、ＰＤＣＣＨをモニタリングする。ＰＤＣＣＨと違って、ＰＣＦＩＣＨは、ブラインドデコーディング(ｂｌｉｎｄ  ｄｅｃｏｄｉｎｇ)を使用せず、サブフレームの固定されたＰＣＦＩＣＨリソースを介して送信される。
【００２９】
ＰＨＩＣＨ(Ｐｈｙｓｉｃａｌ  Ｈｙｂｒｉｄ−ＡＲＱ  Ｉｎｄｉｃａｔｏｒ  Ｃｈａｎｎｅｌ)は、制御領域で送信され、アップリンク(ｕｐｌｉｎｋ：ＵＬ)ＨＡＲＱ(ｈｙｂｒｉｄ  ａｕｔｏｍａｔｉｃ  ｒｅｐｅａｔ  ｒｅｑｕｅｓｔ)のためのＡＣＫ(ａｃｋｎｏｗｌｅｄｇｅｍｅｎｔ)/ＮＡＣＫ(ｎｏｔ−ａｃｋｎｏｗｌｅｄｇｅｍｅｎｔ)信号を伝送する。即ち、基地局は、端末がＰＵＳＣＨを介して送信したＵＬデータに対する応答として、ＰＨＩＣＨを介してＡＣＫ/ＮＡＣＫ信号を送信する。
【００３０】
ＰＤＣＣＨを介して送信される制御情報をダウンリンク制御情報(ｄｏｗｎｌｉｎｋ  ｃｏｎｔｒｏｌ  ｉｎｆｏｒｍａｔｉｏｎ、ＤＣＩ)という。ＤＣＩは、ＰＤＳＣＨのリソース割当(これをＤＬグラント(ｄｏｗｎｌｉｎｋ  ｇｒａｎｔ)ともいう)、ＰＵＳＣＨのリソース割当(これをＵＬグラント(ｕｐｌｉｎｋ  ｇｒａｎｔ)ともいう)、任意のＵＥグループ内の個別ＵＥに対する送信パワー制御命令の集合及び/またはＶｏＩＰ(Ｖｏｉｃｅ  ｏｖｅｒ  Ｉｎｔｅｒｎｅｔ  Ｐｒｏｔｏｃｏｌ)の活性化を含むことができる。
【００３１】
ＤＬグラントを含むＤＣＩは、ＨＡＲＱプロセス番号(ＨＡＲＱ  ｐｒｏｃｅｓｓ  ｎｕｍｂｅｒ)を含むことができる。ＦＤＤの場合は３ビットを含み、ＴＤＤの場合は４ビットを含むことができる。端末は、ＨＡＲＱプロセス番号に基づいてＨＡＲＱプロセスを区分することができる。
【００３２】
基地局は、端末に送るＤＣＩによって、ＰＤＣＣＨフォーマットを決定した後、ＤＣＩにＣＲＣ(Ｃｙｃｌｉｃ  Ｒｅｄｕｎｄａｎｃｙ  Ｃｈｅｃｋ)を付け、ＰＤＣＣＨの所有者(ｏｗｎｅｒ)や用途によって、固有な識別子(これをＲＮＴＩ(Ｒａｄｉｏ  Ｎｅｔｗｏｒｋ  Ｔｅｍｐｏｒａｒｙ  Ｉｄｅｎｔｉｆｉｅｒ)という)をＣＲＣにマスキング(ｍａｓｋｉｎｇ)する。
【００３３】
特定端末のためのＰＤＣＣＨの場合、端末の固有識別子、例えば、Ｃ−ＲＮＴＩ(Ｃｅｌｌ−ＲＮＴＩ)がＣＲＣにマスキングされることができる。または、ページングメッセージ(ｐａｇｉｎｇ  ｍｅｓｓａｇｅ)のためのＰＤＣＣＨの場合、ページング指示識別子、例えば、Ｐ−ＲＮＴＩ(Ｐａｇｉｎｇ−ＲＮＴＩ)がＣＲＣにマスキングされることができる。システム情報のためのＰＤＣＣＨの場合、システム情報識別子、ＳＩ−ＲＮＴＩ(ｓｙｓｔｅｍ  ｉｎｆｏｒｍａｔｉｏｎ−ＲＮＴＩ)がＣＲＣにマスキングされることができる。端末のランダムアクセスプリアンブルの送信に対する応答であるランダムアクセス応答を指示するために、ＲＡ−ＲＮＴＩ(ｒａｎｄｏｍ  ａｃｃｅｓｓ−ＲＮＴＩ)がＣＲＣにマスキングされることができる。Ｃ−ＲＮＴＩが使われると、ＰＤＣＣＨは、該当する特定端末のための制御情報(これを端末特定(ＵＥ−ｓｐｅｃｉｆｉｃ)制御情報という)を伝送し、他のＲＮＴＩが使われると、ＰＤＣＣＨは、セル内の全てのまたは複数の端末が受信する共用(ｃｏｍｍｏｎ)制御情報を伝送する。
【００３４】
基地局は、ＣＲＣが付加されたＤＣＩをエンコーディングすることで、符号化されたデータ(ｃｏｄｅｄ  ｄａｔａ)を生成する。前記エンコーディングは、チャネルコーディングとレートマッチング(ｒａｔｅ  ｍａｔｃｈｉｎｇ)を含む。その後、基地局は、符号化されたデータを変調して変調シンボルを生成し、変調シンボルを物理的なＲＥ(ｒｅｓｏｕｒｃｅ  ｅｌｅｍｅｎｔ)にマッピングして送信する。
【００３５】
データ領域で送信されるＰＤＳＣＨは、ダウンリンクデータチャネルである。ＰＤＳＣＨを介してシステム情報、データなどが送信されることができる。そして、ＰＢＣＨは、端末が基地局と通信するときに必須なシステム情報を伝送し、ＰＢＣＨを介して送信されるシステム情報をＭＩＢ(ｍａｓｔｅｒ  ｉｎｆｏｒｍａｔｉｏｎ  ｂｌｏｃｋ)という。それに対し、ＰＤＣＣＨにより指示されるＰＤＳＣＨ上に送信されるシステム情報をＳＩＢ(ｓｙｓｔｅｍ  ｉｎｆｏｒｍａｔｉｏｎ  ｂｌｏｃｋ)という。
【００３６】
図５は、アップリンクサブフレームの構造を示す。
【００３７】
図５を参照すると、アップリンクサブフレームは、周波数領域で、アップリンク制御情報を伝送するＰＵＣＣＨ(Ｐｈｙｓｉｃａｌ  Ｕｐｌｉｎｋ  Ｃｏｎｔｒｏｌ  Ｃｈａｎｎｅｌ)が割り当てられる制御領域(ｒｅｇｉｏｎ)と、ユーザデータ及び/または制御情報を伝送するＰＵＳＣＨ(Ｐｈｙｓｉｃａｌ  Ｕｐｌｉｎｋ  Ｓｈａｒｅｄ  Ｃｈａｎｎｅｌ)が割り当てられるデータ領域とに分けられる。
【００３８】
ＰＵＣＣＨは、サブフレームでＲＢ対(ｐａｉｒ)に割り当てられる。ＲＢ対に属するＲＢは、第１のスロットと第２のスロットの各々で互いに異なる副搬送波を占める。
【００３９】
<ＨＡＲＱ(ｈｙｂｒｉｄ  ａｕｔｏｍａｔｉｃ  ｒｅｐｅａｔ  ｒｅｑｕｅｓｔ)>
【００４０】
ＨＡＲＱには、同期(ｓｙｎｃｈｒｏｎｏｕｓ)ＨＡＲＱ方式と非同期(ａｓｙｎｃｈｒｏｎｏｕｓ)ＨＡＲＱ方式とがある。
【００４１】
同期ＨＡＲＱ方式は、初期送信が失敗した場合、この後の再送信が予め決められたタイミングに行われる方式である。再送信が行われるタイミングは、初期送信後、毎８番目の時間単位(サブフレーム)に行われることができる。このようなタイミングは、基地局と端末との間に既に約束が行われているため、追加にこのタイミングに対して知らせる必要はない。データ送信側でＮＡＣＫメッセージを受けた場合、ＡＣＫメッセージを受ける時までまたは予め決められた回数ほど毎８番目のサブフレームでデータを再送信することができる。
【００４２】
それに対し、非同期ＨＡＲＱ方式は、再送信タイミングが新しくスケジューリングされ、または追加的なシグナリングを介して行われることができる。以前に送信失敗したデータに対する再送信が行われるタイミングは、チャネル状態などの多様な要因により可変されることができる。
【００４３】
一方、ＨＡＲＱは、チャネル非適応的ＨＡＲＱ方式とチャネル適応的ＨＡＲＱ方式とに区分されることもできる。チャネル非適応的ＨＡＲＱ方式は、再送信時、データの変調、リソースブロックの数、コーディング方式などが初期送信時に決められた通りに行われる方式であり、それに対し、チャネル適応的ＨＡＲＱ方式は、これらがチャネルの状態によって可変される方式である。例えば、送信側で、初期送信時、６個のリソースブロックを利用してデータを送信し、以後再送信時にも同じく６個のリソースブロックを利用して再送信する方式がチャネル非適応的ＨＡＲＱ方式である。それに対し、初期には６個のリソースブロックを利用してデータ送信が行われたとしても、以後にチャネル状態によって、６個より大きいまたは小さい数のリソースブロックを利用してデータを再送信する方式がチャネル適応的ＨＡＲＱ方式である。
【００４４】
このような分類により、各々、４種類のＨＡＲＱの組合せが行われることができるが、主に使われるＨＡＲＱ方式では、非同期及びチャネル適応的ＨＡＲＱ方式と、同期及びチャネル非適応的ＨＡＲＱ方式とがある。非同期及びチャネル適応的ＨＡＲＱ方式は、再送信タイミングと使用するリソースの量をチャネルの状態によって適応的に異なるようにすることで再送信効率を極大化させることができる。しかし、オーバーヘッドが大きくなる短所があって、アップリンクのためには一般的に考慮されない。一方、同期及びチャネル非適応的ＨＡＲＱ方式は、再送信のためのタイミングとリソース割当がシステム内で約束されているため、そのためのオーバーヘッドがほぼないことが長所である。しかし、変化が激しいチャネル状態で使われる場合、再送信効率が非常に低くなる短所がある。
【００４５】
現在、３ＧＰＰ  ＬＴＥにおいて、ダウンリンクの場合、非同期ＨＡＲＱ方式が使われ、アップリンクの場合、同期ＨＡＲＱ方式が使われている。即ち、基地局がデータを送信/再送信する時は、非同期ＨＡＲＱ方式が使われ、端末がデータを送信/再送信する時は、同期ＨＡＲＱ方式が使われる。
【００４６】
図６は、アップリンクで使われる同期ＨＡＲＱ方式を例示する。
【００４７】
図６を参照すると、端末は、サブフレームｎでスケジューリング情報であるＵＬグラントを受信した後、サブフレームｎ＋４でＰＵＳＣＨを送信する。前記ＰＵＳＣＨは、前記ＵＬグラントによりスケジューリングされたものである。端末は、サブフレームｎ＋８で前記ＰＵＳＣＨに対するＡＣＫ/ＮＡＣＫ信号をＰＨＩＣＨを介して受信し、またはＵＬグラントをＰＤＣＣＨを介して受信することができる。端末は、サブフレームｎ＋１２でＰＵＳＣＨを再送信することができる。サブフレームｎ、ｎ＋４、ｎ＋８、ｎ＋１２は、同じＨＡＲＱプロセスを構成するサブフレームであり、同じＨＡＲＱプロセス番号が付与されることができる。
【００４８】
一方、基地局からＵＬグラントまたはＡＣＫ/ＮＡＣＫ信号を受信した後、再び次のデータを送信する時までは、図６に示すように時間遅延が発生する。これはチャネルの伝達遅延と、データデコーディング及びデータエンコーディングにかかる処理時間により発生する遅延である。このような遅延区間にデータ送信の空白が発生することを防止するために、独立的なＨＡＲＱプロセスを使用してデータを送信する方法が使われている。
【００４９】
例えば、一つのＨＡＲＱプロセスで、データ送信と次のデータ送信までの最短周期が８サブフレームの場合、８個の独立的なＨＡＲＱプロセスをおいて空白なくデータ送信をすることができる。ＬＴＥ  ＦＤＤでは、ＭＩＭＯ(ｍｕｌｔｉ  ｉｎｐｕｔ  ｍｕｌｔｉ  ｏｕｔｐｕｔ)で動作しない場合、最大８個のＨＡＲＱプロセスを割り当てることができるようになっている。ＬＴＥ  ＴＤＤでは、ＵＬ−ＤＬ設定によって最大ＨＡＲＱプロセスの個数が変わることができる。これに対しては詳細に後述する。ＭＩＭＯで２個のコードワードを同時に送信する場合、２個のコードワードを一つのＨＡＲＱプロセスに束ねて送信する方法と、各々のコードワードを別途のＨＡＲＱプロセスに送信する方法とを使用することができる。
【００５０】
以下、キャリアアグリゲーションシステム(ｃａｒｒｉｅｒ  ａｇｇｒｅｇａｔｉｏｎ  ｓｙｓｔｅｍ)に対して説明する。
【００５１】
図７は、単一搬送波システムとキャリアアグリゲーションシステムの比較例である。
【００５２】
図７を参照すると、単一搬送波システムでは、アップリンクとダウンリンクに一つの搬送波のみを端末にサポートする。搬送波の帯域幅は多様であるが、端末に割り当てられる搬送波は一つである。それに対し、キャリアアグリゲーション(ｃａｒｒｉｅｒ  ａｇｇｒｅｇａｔｉｏｎ、ＣＡ)システムでは、端末に複数のコンポーネントキャリア(ＤＬ  ＣＣ  Ａ乃至Ｃ、ＵＬ  ＣＣ  Ａ乃至Ｃ)が割り当てられることができる。例えば、端末に６０ＭＨｚの帯域幅を割り当てるために、３個の２０ＭＨｚのコンポーネントキャリアが割り当てられることができる。
【００５３】
キャリアアグリゲーションシステムは、各搬送波が連続する連続(ｃｏｎｔｉｇｕｏｕｓ)キャリアアグリゲーションシステムと、各搬送波が互いに離れている不連続(ｎｏｎ−ｃｏｎｔｉｇｕｏｕｓ)キャリアアグリゲーションシステムとに区分されることができる。以下、単純にキャリアアグリゲーションシステムという時、これはコンポーネントキャリアが連続な場合と不連続な場合を両方とも含むと理解しなければならない。
【００５４】
１個以上のコンポーネントキャリアをアグリゲーションする時、対象となるコンポーネントキャリアは、既存システムとの下位互換性(ｂａｃｋｗａｒｄ  ｃｏｍｐａｔｉｂｉｌｉｔｙ)のために、既存システムで使用する帯域幅をそのまま使用することができる。例えば、３ＧＰＰ  ＬＴＥシステムでは１.４ＭＨｚ、３ＭＨｚ、５ＭＨｚ、１０ＭＨｚ、１５ＭＨｚ及び２０ＭＨｚの帯域幅をサポートし、３ＧＰＰ  ＬＴＥ−Ａシステムでは前記３ＧＰＰ  ＬＴＥシステムの帯域幅のみを利用して２０ＭＨｚ以上の広帯域を構成することができる。または、既存システムの帯域幅をそのまま使用せずに、新しい帯域幅を定義して広帯域を構成することもできる。
【００５５】
無線通信システムのシステム周波数帯域は、複数の搬送波周波数(Ｃａｒｒｉｅｒ−ｆｒｅｑｕｅｎｃｙ)に区分される。ここで、搬送波周波数は、セルの中心周波数(Ｃｅｎｔｅｒ  ｆｒｅｑｕｅｎｃｙ  ｏｆ  ａ  ｃｅｌｌ)を意味する。以下、セル(ｃｅｌｌ)は、ダウンリンク周波数リソースとアップリンク周波数リソースの対で構成されることができる。または、セルは、ダウンリンク周波数リソースのみで構成されることもできる。一般的に、キャリアアグリゲーション(ＣＡ)を考慮しない場合、一つのセル(ｃｅｌｌ)は、アップリンク及びダウンリンク周波数リソースが常に対に存在できる。
【００５６】
特定セルを介してパケットデータの送受信が行われるためには、端末は、まず、特定セルに対して設定(ｃｏｎｆｉｇｕｒａｔｉｏｎ)を完了しなければならない。ここで、設定(ｃｏｎｆｉｇｕｒａｔｉｏｎ)とは、該当セルに対するデータ送受信に必要なシステム情報受信を完了した状態を意味する。例えば、設定(ｃｏｎｆｉｇｕｒａｔｉｏｎ)は、データ送受信に必要な共通物理階層パラメータ、またはＭＡＣ階層パラメータ、またはＲＲＣ階層で特定動作に必要なパラメータを受信する全般的な過程を含むことができる。設定完了したセルは、パケットデータが送信されることができるという情報のみを受信すると、直ちにパケットの送受信が可能になる状態である。
【００５７】
設定完了状態のセルは、活性化(Ａｃｔｉｖａｔｉｏｎ)または非活性化(Ｄｅａｃｔｉｖａｔｉｏｎ)状態に存在できる。ここで、活性化は、データの送信または受信が行なわれ、または準備状態(ｒｅａｄｙ  ｓｔａｔｅ)にあることを意味する。端末は、自分に割り当てられたリソース(周波数、時間など)を確認するために、活性化されたセルの制御チャネル(ＰＤＣＣＨ)及びデータチャネル(ＰＤＳＣＨ)をモニタリングまたは受信することができる。
【００５８】
非活性化は、トラフィックデータの送信または受信が不可能であり、測定や最小情報の送信/受信が可能であることを意味する。端末は、非活性化セルからパケット受信のために必要なシステム情報(ＳＩ)を受信することができる。それに対し、端末は、自分に割り当てられたリソース(周波数、時間など)を確認するために、非活性化されたセルの制御チャネル(ＰＤＣＣＨ)及びデータチャネル(ＰＤＳＣＨ)をモニタリングまたは受信しない。
【００５９】
セルは、プライマリセル(ｐｒｉｍａｒｙ  ｃｅｌｌ：Ｐｃｅｌｌ)とセカンダリセル(ｓｅｃｏｎｄａｒｙ  ｃｅｌｌ：Ｓｃｅｌｌ)、サービングセル(ｓｅｒｖｉｎｇ  ｃｅｌｌ)に区分されることができる。
【００６０】
キャリアアグリゲーションが設定されると、端末は、ネットワークと一つのＲＲＣ接続のみを有する。ＲＲＣ接続確立/再確立/ハンドオーバ過程で、一つのセルがＮＡＳ(ｎｏｎ−ａｃｃｅｓｓ  ｓｔｒａｔｕｍ)移動(ｍｏｂｉｌｉｔｙ)情報及びセキュリティ入力(ｓｅｃｕｒｉｔｙ  ｉｎｐｕｔ)を提供する。このようなセルをプライマリセルという。即ち、プライマリセルは、端末が基地局との最初接続確立過程(ｉｎｉｔｉａｌ  ｃｏｎｎｅｃｔｉｏｎ  ｅｓｔａｂｌｉｓｈｍｅｎｔ  ｐｒｏｃｅｄｕｒｅ)または接続再確立過程を実行するセル、またはハンドオーバ過程でプライマリセルに指示されたセルを意味する。
【００６１】
セカンダリセルは、プライマリセルを介したＲＲＣ接続が確立された後、追加的な無線リソースを提供するために設定されるセルを意味する。
【００６２】
サービングセルは、端末にサービスを提供するために設定されたセルであり、キャリアアグリゲーションが設定されない、またはキャリアアグリゲーションを提供することができない端末である場合、プライマリセルで構成される。キャリアアグリゲーションが設定された場合、サービングセルは、複数で構成されることができる。複数のサービングセルは、プライマリセル及び全てのセカンダリセルのうち一つまたは複数で構成された集合で構成されることができる。
【００６３】
ＰＣＣ(ｐｒｉｍａｒｙ  ｃｏｍｐｏｎｅｎｔ  ｃａｒｒｉｅｒ)は、プライマリセルに対応するＣＣを意味する。ＰＣＣは、多数のＣＣのうち、端末が初期に基地局と接続(ＣｏｎｎｅｃｔｉｏｎまたはＲＲＣ  Ｃｏｎｎｅｃｔｉｏｎ)されるようになるＣＣである。ＰＣＣは、多数のＣＣに対するシグナリングのための接続(ＣｏｎｎｅｃｔｉｏｎまたはＲＲＣＣ  ｏｎｎｅｃｔｉｏｎ)を担当し、端末と関連した連結情報である端末コンテキスト情報(ＵＥ  Ｃｏｎｔｅｘｔ)を管理する特別なＣＣである。また、ＰＣＣは、端末と接続されてＲＲＣ接続状態(ＲＲＣ  Ｃｏｎｎｅｃｔｅｄ  Ｍｏｄｅ)の場合には常に活性化状態に存在する。プライマリセルに対応するダウンリンクコンポーネントキャリアをダウンリンクプライマリコンポーネントキャリア(ＤｏｗｎＬｉｎｋ  Ｐｒｉｍａｒｙ  Ｃｏｍｐｏｎｅｎｔ  Ｃａｒｒｉｅｒ、ＤＬ  ＰＣＣ)といい、プライマリセルに対応するアップリンクコンポーネントキャリアをアップリンクプライマリコンポーネントキャリア(ＵＬ  ＰＣＣ)という。
【００６４】
ＳＣＣ(ｓｅｃｏｎｄａｒｙ  ｃｏｍｐｏｎｅｎｔ  ｃａｒｒｉｅｒ)は、セカンダリセルに対応するＣＣを意味する。即ち、ＳＣＣは、ＰＣＣ以外に端末に割り当てられたＣＣであって、端末がＰＣＣ以外に追加的なリソース割当などのために拡張された搬送波(Ｅｘｔｅｎｄｅｄ  Ｃａｒｒｉｅｒ)であり、活性化または非活性化状態に分けられる。セカンダリセルに対応するダウンリンクコンポーネントキャリアをダウンリンクセカンダリコンポーネントキャリア(ＤＬ  Ｓｅｃｏｎｄａｒｙ  ＣＣ、ＤＬ  ＳＣＣ)といい、セカンダリセルに対応するアップリンクコンポーネントキャリアをアップリンクセカンダリコンポーネントキャリア(ＵＬ  ＳＣＣ)という。
【００６５】
サービングセルを構成するコンポーネントキャリアは、ダウンリンクコンポーネントキャリアが一つのサービングセルを構成することもでき、ダウンリンクコンポーネントキャリアとアップリンクコンポーネントキャリアが連結設定されて一つのサービングセルを構成することもできる。従来、一つのアップリンクコンポーネントキャリアのみではサービングセルが構成されなかった。しかし、本発明ではアップリンクコンポーネントキャリアのみでサービングセルが構成されることもできる。
【００６６】
コンポーネントキャリアの活性化/非活性化は、サービングセルの活性化/非活性化の概念と同じである。例えば、サービングセル１がＤＬ  ＣＣ１で構成されていると仮定する時、サービングセル１の活性化は、ＤＬ  ＣＣ１の活性化を意味する。もし、サービングセル２がＤＬ  ＣＣ２とＵＬ  ＣＣ２が連結設定されて構成されていると仮定する時、サービングセル２の活性化は、ＤＬ  ＣＣ２とＵＬ  ＣＣ２の活性化を意味する。このような意味で、各コンポーネントキャリアは、セル(ｃｅｌｌ)に対応されることができる。
【００６７】
ダウンリンクとアップリンクとの間にアグリゲーションされるコンポーネントキャリアの数は異なるように設定されることができる。ダウンリンクＣＣ数とアップリンクＣＣ数が同じ場合を対称的(ｓｙｍｍｅｔｒｉｃ)アグリゲーションといい、その数が異なる場合を非対称的(ａｓｙｍｍｅｔｒｉｃ)アグリゲーションという。また、ＣＣの大きさ(即ち、帯域幅)は、互いに異なることができる。例えば、７０ＭＨｚ帯域の構成のために、５個のＣＣが使われるとする時、５ＭＨｚ  ＣＣ(ｃａｒｒｉｅｒ  ＃０)＋２０ＭＨｚ  ＣＣ(ｃａｒｒｉｅｒ  ＃１)＋２０ＭＨｚ  ＣＣ(ｃａｒｒｉｅｒ  ＃２)＋２０ＭＨｚ  ＣＣ(ｃａｒｒｉｅｒ  ＃３)＋５ＭＨｚ  ＣＣ(ｃａｒｒｉｅｒ  ＃４)のように構成されることもできる。
【００６８】
前述したように、キャリアアグリゲーションシステムでは単一搬送波システムと違って、複数のサービングセル、即ち、複数のコンポーネントキャリア(ｃｏｍｐｏｎｅｎｔ  ｃａｒｒｉｅｒ、ＣＣ)をサポートすることができる。
【００６９】
一方、キャリアアグリゲーションシステムは、交差搬送波スケジューリング(ｃｒｏｓｓ−ｃａｒｒｉｅｒ  ｓｃｈｅｄｕｌｉｎｇ：ＣＣＳ)をサポートすることができる。交差搬送波スケジューリングは、特定コンポーネントキャリアを介して送信されるＰＤＣＣＨを介して他のコンポーネントキャリアを介して送信されるＰＤＳＣＨのリソース割当及び/または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるＤＬ  ＣＣを介して送信されることができ、ＵＬグラントを含むＰＤＣＣＨが送信されたＤＬ  ＣＣとリンクされたＵＬ  ＣＣ、即ち、同じセルを構成するＵＬ  ＣＣでない他のセルに含まれているＵＬ  ＣＣを介してＰＵＳＣＨが送信されることができる。このように交差搬送波スケジューリングをサポートするシステムでは、ＰＤＣＣＨがどのようなＤＬ  ＣＣ/ＵＬ  ＣＣを介して送信されるＰＤＳＣＨ/ＰＵＳＣＨをスケジューリングするかを知らせる搬送波指示子が必要である。このような搬送波指示子を含むフィールドを搬送波指示フィールド(ｃａｒｒｉｅｒ  ｉｎｄｉｃａｔｉｏｎ  ｆｉｅｌｄ、ＣＩＦ)という。
【００７０】
交差搬送波スケジューリングをサポートするキャリアアグリゲーションシステムは、従来のＤＣＩ(ｄｏｗｎｌｉｎｋ  ｃｏｎｔｒｏｌ  ｉｎｆｏｒｍａｔｉｏｎ)フォーマットに搬送波指示フィールド(ＣＩＦ)を含むことができる。交差搬送波スケジューリングをサポートするシステム、例えば、ＬＴＥ−Ａシステムでは、既存のＤＣＩフォーマット(即ち、ＬＴＥで使用するＤＣＩフォーマット)にＣＩＦが追加されるため、３ビットが拡張されることができ、ＰＤＣＣＨ構造は、既存のコーディング方法、リソース割当方法(即ち、ＣＣＥベースのリソースマッピング)等を再使用することができる。
【００７１】
基地局は、ＰＤＣＣＨモニタリングＤＬ  ＣＣ(モニタリングＣＣ)集合を設定することができる。ＰＤＣＣＨモニタリングＤＬ  ＣＣ集合は、アグリゲーションされた全体ＤＬ  ＣＣのうち一部ＤＬ  ＣＣで構成され、交差搬送波スケジューリングが設定されると、端末は、ＰＤＣＣＨモニタリングＤＬ  ＣＣ集合に含まれているＤＬ  ＣＣに対してのみＰＤＣＣＨモニタリング/デコーディングを実行する。即ち、基地局は、ＰＤＣＣＨモニタリングＤＬ  ＣＣ集合に含まれているＤＬ  ＣＣを介してのみスケジューリングしようとするＰＤＳＣＨ/ＰＵＳＣＨに対するＰＤＣＣＨを送信する。ＰＤＣＣＨモニタリングＤＬ  ＣＣ集合は、端末特定的、端末グループ特定的、またはセル特定的に設定されることができる。
【００７２】
非交差搬送波スケジューリング(ｎｏｎ−ｃｒｏｓｓ  ｃａｒｒｉｅｒ  ｓｃｈｅｄｕｌｉｎｇ：ＮＣＣＳ)は、同じ搬送波(セル)内でスケジューリング情報とそれによるデータが受信/送信されることを意味し、セルフスケジューリング(ｓｅｌｆ−ｓｃｈｅｄｕｌｉｎｇ)ともいう。非交差搬送波スケジューリングは、従来単一セルのみが設定された端末に適用されたスケジューリング方法ということができる。
【００７３】
<ＨＡＲＱ周期及びＨＡＲＱプロセスの個数>
【００７４】
一つのＤＬ  ＨＡＲＱプロセスにかかる時間(これをＨＡＲＱプロセス周期または簡単にＨＡＲＱ周期という)を次のように定義する。まず、基地局がデータを送信することを初期送信という。前記データは、ＡＣＫ/ＮＡＣＫ応答を必要とする全てのものを通称する。例えば、送信ブロック、コードワード、ＰＤＳＣＨなどのようなデータに限定されずに、ＤＬ  ＳＰＳ解除ＰＤＣＣＨのようにＡＣＫ/ＮＡＣＫ応答を必要とする制御チャネルも含む。
【００７５】
端末は、前記データに対するＡＣＫ/ＮＡＣＫを送信する。基地局は、端末が送信したＡＣＫ/ＮＡＣＫを受信した後、ＡＣＫ/ＮＡＣＫによって新しいデータを送信し、またはデータを再送信することができる。基地局が新しいデータを送信することもできるが、便宜上、ＡＣＫ/ＮＡＣＫ応答に対応してデータを送信することを再送信という。
【００７６】
それによって、同じＤＬ  ＨＡＲＱプロセスにかかる時間は、初期送信と再送信時点との差によって規定されることができる。ＤＬ  ＨＡＲＱプロセスにかかる時間は、ＡＣＫ/ＮＡＣＫが送信されるＵＬサブフレームを基準にし、前記ＡＣＫ/ＮＡＣＫの対象となった初期送信までの時間(これをｋと表示する。ただ、ｋは、サブフレーム単位)と、前記ＡＣＫ/ＮＡＣＫ以後の再送信までの時間(これをｊと表示する。ｊは、サブフレーム単位)との和である。
【００７７】
ＦＤＤでは、ＤＬサブフレームとＵＬサブフレームの比が１：１であり、ＦＤＤフレーム内にＤＬサブフレーム及びＵＬサブフレームが互いに異なる周波数帯域に連続的に存在するため、ＤＬ  ＨＡＲＱプロセスにかかる時間が一定に８サブフレームである。
【００７８】
それに対し、ＴＤＤでは、前記ｋとｊが各ＵＬサブフレーム別に異なることができるため、ＤＬ  ＨＡＲＱプロセスにかかる時間が一定でない。
【００７９】
基地局と端末との間の伝達遅延及び処理遅延を考慮して、ＡＣＫ/ＮＡＣＫは、データ受信後、一定時間(ｋｍｉｎ)後に送信されるように規定されている。基地局は、ＡＣＫ/ＮＡＣＫ受信後、一定時間(ｋｍｉｎ)後にデータを再送信することができる。以下の表は、各ＵＬ−ＤＬ設定において、ＵＬサブフレーム以後ｋｍｉｎ＝４より大きいまたは同じ最短ＤＬサブフレームの位置を示す。
【００８０】
【表２】
2016519885.tif 000004
【００８１】
前記表での値(例えば、ＵＬ−ＤＬ設定０において、サブフレーム２に表示された‘４’)は、端末が各ＵＬサブフレームでＤＬ  ＨＡＲＱに対するＡＣＫ/ＮＡＣＫ応答後、これに基づいて基地局がスケジューリング可能な最短時間をサブフレーム単位で表す。したがって、各ＵＬサブフレームでのＡＣＫ/ＮＡＣＫに対応されるＤＬ  ＨＡＲＱプロセスの以前送信タイミングと、該当ＵＬサブフレームでのＡＣＫ/ＮＡＣＫに対する同じＤＬ  ＨＡＲＱプロセスの次の送信タイミングとの和が同じＤＬ  ＨＡＲＱプロセスをスケジューリングすることができる最短時間になる。
【００８２】
初期送信、最短再送信の可能時間は、以下の表のように示すことができる。
【００８３】
【表３】
2016519885.tif 000005
【００８４】
前記表３は、ＵＬ−ＤＬ設定によるＴＤＤフレーム内の各ＵＬサブフレームでｋ＋ｊ値を示す。サブフレームｎに対するｋ値をｋ(ｎ)、サブフレームｎに対するｊ値をｊ(ｎ)とする時、表３ではサブフレームｎに対して{ｋ(ｎ)}＋ｊ(ｎ)の形式に示す。ｋ(ｎ)は、複数個の値のうちいずれか一つである。
【００８５】
前記表３において、‘Ｍａｘ(ＨＡＲＱ  ｐｅｒｉｏｄ)’は、各ＵＬサブフレームで求めた{ｋ(ｎ)}＋ｊ(ｎ)値の最大値をＵＬ−ＤＬ設定別に示すものである。例えば、ＵＬ−ＤＬ設定４において、{ｋ(ｎ)}＋ｊ(ｎ)値の最大値は１６という意味である。
【００８６】
一方、ダウンリンクで運用することができるＤＬ  ＨＡＲＱプロセスの個数(前記表において、‘Ｍａｘ  ＤＬ  ＨＡＲＱ’)は、前記ｋ(ｎ)＋ｊ(ｎ)値の最大値と連関されている。即ち、一つのセルでＤＬ  ＨＡＲＱプロセスの個数は、ｋ(ｎ)＋ｊ(ｎ)値の最大値に該当する区間内に含まれるＤＬサブフレームの個数に決定されることができる。
【００８７】
図８は、一つのＴＤＤセルでＵＬ−ＤＬ設定０〜２の各々に対してＤＬ  ＨＡＲＱプロセスの個数を決定する例を示す。
【００８８】
例えば、ＵＬ−ＤＬ設定０において、ＵＬサブフレーム１９１を基準に、ｋは６になり、ｊは４になる。そして、ｋ＋ｊ個のサブフレーム区間に含まれているＤＬサブフレームの個数は４個である。したがって、ＭＨＡＲＱ＝４になる。
【００８９】
図９は、一つのＴＤＤセルでＵＬ−ＤＬ設定３〜５の各々に対してＤＬ  ＨＡＲＱプロセスの個数を決定する例を示す。
【００９０】
例えば、ＵＬ−ＤＬ設定３において、ＵＬサブフレーム２０１を基準に、ｋは１１になり、ｊは４になる。そして、ｋ＋ｊ個のサブフレーム区間に含まれているＤＬサブフレームの個数は９個である。したがって、ＭＨＡＲＱ＝９になる。
【００９１】
図１０は、一つのＴＤＤセルでＵＬ−ＤＬ設定６に対してＤＬ  ＨＡＲＱプロセスの個数を決定する例を示す。
【００９２】
ＵＬ−ＤＬ設定６において、ＵＬサブフレーム２１１を基準に、ｋは７になり、ｊは７になる。そして、ｋ＋ｊ個のサブフレーム区間に含まれているＤＬサブフレームの個数は６個である。したがって、ＭＨＡＲＱ＝６になる。
【００９３】
即ち、図８乃至図１０は、一つのＴＤＤセルに対してＤＬ  ＨＡＲＱプロセスの個数を決定する例を示す。
【００９４】
アップリンクで使われる同期ＨＡＲＱタイミングを説明するために、便宜上、いくつかの用語を定義する。以下、この用語は、説明と図面で使われることができる。
【００９５】
まず、ＵＬグラント(ｕｐｌｉｎｋ  ｇｒａｎｔ)の送信時点とＰＵＳＣＨの初期送信時点との間の間隔をＧＵといい、ｋで表す。ＰＵＳＣＨの初期送信時点とＰＨＩＣＨ送信時点との間の間隔をＵＨといい、ｊで表す。ＰＨＩＣＨ送信時点とＰＵＳＣＨ再送信時点との間の間隔をＨＵといい、ｒで表す。再送信されるＵＬグラントとＰＵＳＣＨ再送信時点との間の間隔をＧＵ’といい、ｋ’で表す。ＰＵＳＣＨ送信時点と次のＵＬグラントの送信時点との間の間隔はＵＧと表示する。
【００９６】
図１１は、一つのＦＤＤセルのみが使われる場合の同期ＵＬ  ＨＡＲＱタイミングを示す。
【００９７】
図１１には、ＰＤＣＣＨを介してＵＬグラントが基地局により送信されるダウンリンクサブフレームｎ−ｋ、前記ＵＬグラントによりスケジューリングされたＰＵＳＣＨが端末により送信されるアップリンクサブフレームｎ、前記ＰＵＳＣＨの応答であるＡＣＫ/ＮＡＣＫが前記基地局により送信(ＰＨＩＣＨを介して)されるダウンリンクサブフレームｎ＋ｊ、前記ＡＣＫ/ＮＡＣＫがＮＡＣＫである場合、前記端末によりＰＵＳＣＨが再送信されるアップリンクサブフレームｎ＋ｊ＋ｒを示している。一方、端末は、ＰＨＩＣＨを介して受信したＡＣＫ/ＮＡＣＫに基づいてＰＵＳＣＨを再送信することができるが、ＵＬグラントをサブフレームｎ＋ｊ＋ｒ−ｋ’で受信した後、前記ＵＬグラントに基づいてサブフレームｎ＋ｊ＋ｒでＰＵＳＣＨを再送信することもできる。
【００９８】
ＦＤＤフレームでは、ＤＬサブフレームとＵＬサブフレームが連続的に存在し、常に１：１の関係に存在する。したがって、同期ＨＡＲＱタイミングでｋ＝ｊ＝ｒ＝ｋ’＝ｋｍ＝４になる。ＨＡＲＱプロセスの個数は、スケジューリングを受けたＰＵＳＣＨの送信後、再びＰＵＳＣＨを再送信する時までの区間に含まれているＵＬサブフレームの個数によって決定されることができ、総８個の独立的なＨＡＲＱプロセスが動作できる。
【００９９】
一方、ＴＤＤフレームでは、ＤＬサブフレームとＵＬサブフレームがＴＤＤフレーム内で常に同じ個数に存在するものではない。したがって、ｋｍ＝４を考慮したｋ、ｊ、ｒ、ｋ’値がＵＬ−ＤＬ設定によって変わることができる。
【０１００】
図１２乃至図１３は、一つのＴＤＤセルで各ＵＬ−ＤＬ設定に対して既存同期ＵＬ  ＨＡＲＱタイミングを示す例である。即ち、図１２及び図１３は、一つのＴＤＤセルのみが使われる場合のＵＬ−ＤＬ設定による既存同期ＵＬ  ＨＡＲＱタイミングを示す。
【０１０１】
図１２では、ＵＬ−ＤＬ設定０乃至２の各々に対して既存の同期ＨＡＲＱタイミングを示す。端末がＰＵＳＣＨを送信するサブフレームをサブフレームｎとする時、前記ＰＵＳＣＨをスケジューリングするＵＬグラントを含むＰＤＣＣＨを受信するサブフレームであるサブフレームｎ−ｋ、前記ＰＵＳＣＨに対するＡＣＫ/ＮＡＣＫをＰＨＩＣＨを介して受信するサブフレームであるサブフレームｎ＋ｊ、ＰＵＳＣＨ再送信のためのＵＬグラントを受信するサブフレームであるサブフレームｎ＋ｊ＋ｒ−ｋ’、ＰＵＳＣＨが再送信されるサブフレームであるサブフレームｎ＋ｊ＋ｒを示している。
【０１０２】
図１３では、サブフレームｎ、サブフレームｎ−ｋ、サブフレームｎ＋ｊ、サブフレームｎ＋ｊ＋ｒ−ｋ’、サブフレームｎ＋ｊ＋ｒなどをＵＬ−ＤＬ設定３乃至６に対して示している。
【０１０３】
図１２及び図１３で数字を含むサブフレームは、アップリンクサブフレームであり、各アップリンクサブフレームではＰＵＳＣＨが送信されることができる。数字を含まないサブフレームは、ダウンリンクサブフレームまたはスペシャルサブフレームである。また、各アップリンクサブフレームと矢印で連結されたダウンリンクサブフレームでは、ＵＬグラントを含むＰＤＣＣＨまたはＡＣＫ/ＮＡＣＫを含むＰＨＩＣＨが基地局により送信される。ＴＤＤフレームに含まれているＤＬサブフレームのうち、アップリンクサブフレームと矢印で連結されないダウンリンクサブフレームは、ＰＨＩＣＨが存在しないダウンリンクサブフレームである。例えば、図１２において、ダウンリンクサブフレーム９１、９２は、ＰＨＩＣＨが存在しないダウンリンクサブフレームの一例である。
【０１０４】
以下、本発明に対して説明する。
【０１０５】
次世代無線通信システムでは、ＭＴＣ、ＭＵ−ＭＩＭＯ、互いに異なるＵＬ−ＤＬ設定を使用する搬送波間のキャリアアグリゲーション、異種セル間のアグリゲーションなど、多様なサービスとシステム構成が可能である。異種セル間のアグリゲーションとは、既存のセルとＮＣＴを使用するセルのアグリゲーション、マクロセルとスモールセルのアグリゲーション、ＦＤＤフレームを使用するセルとＴＤＤフレームを使用するセルのアグリゲーションなどを含むことができる。
【０１０６】
このようなシステム構成では、同じサイトに位置するセル間のアグリゲーションになることもできるが、互いに異なるサイトに位置するセル間のアグリゲーションになることもできる。後者の場合、サイト間の制御情報送信に遅延が存在して各サイト別にスケジューリングが実行されることができる。
【０１０７】
また、アップリンク制御信号が送信されるＰＵＣＣＨの送信がプライマリセルにのみ制限された従来技術と違って、セカンダリセルでも送信されることができる。ＰＵＣＣＨが送信されるセカンダリセルは、シグナリングされ、または予め約束されることができる。
【０１０８】
ＰＵＣＣＨを送信するセカンダリセルは、セルグループ当たり一つのみが許容されることができる。セルグループは、ＲＲＣメッセージを介して設定されることができる。
【０１０９】
一方、互いに異なる位置に存在するサイトで同じ周波数の搬送波を使用し、独立的なスケジューリングを実行する場合、スケジューリングされるリソース間の衝突が発生できる。これを回避するために、ＴＤＭ、ＦＤＭ、ＣＤＭ等を介して物理的にリソースを区分して割り当てることができる。
【０１１０】
ＴＤＭの場合、サイトＡでスケジューリングするＵＬ/ＤＬサブフレームとサイトＢでスケジューリングするＵＬ/ＤＬサブフレームを、時間領域で区分して割り当てる。
【０１１１】
以下、互いに異なるサイトに位置するセルで同じ周波数の搬送波を使用することを前提とし、ＴＤＭを使用する時、どのようにリソースを区分して割り当てるかを具体的に説明する。
【０１１２】
図１４は、本発明の一実施例に係るリソース割当方法を示す。
【０１１３】
複数のサイトにリソースを割り当てる装置は、前記複数のサイトで共通的に使われるリソース割当単位を決定する(Ｓ１４０)。前記装置は、前記複数のサイトに位置した基地局のうち一つであってもよく、前記基地局を管理する別途の装置であってもよい。リソース割当単位は、固定された個数のサブフレームで構成されることができる。
【０１１４】
前記装置は、前記リソース割当単位に基づいて前記複数のサイトにリソースを割り当てる(Ｓ１５０)。
【０１１５】
図１５は、複数のサイトに無線リソースをＴＤＭ方式に割り当てる一例を示す。
【０１１６】
図１５を参照すると、サイトＡ、Ｂ、Ｃは、同じ周波数帯域を使用する複数のサイトである。各サイトには基地局及び端末が位置できる。
【０１１７】
サイトＡ、Ｂ、Ｃにはリソース割当単位に基づいてリソースが割り当てられることができる。リソース割当単位には前記複数のサイトの各々に割り当てられる無線リソースが時間領域で区分されて配置、即ち、ＴＤＭ(ｔｉｍｅ  ｄｉｖｉｓｉｏｎ  ｍｕｌｔｉｐｌｅｘｉｎｇ)されることができる。
【０１１８】
この場合、リソース割当単位を構成するサブフレームの個数をどのように決定することが効率的かが問題になることができる。本発明では、各サイトでのＨＡＲＱ周期、ＨＡＲＱプロセス個数に基づいて前記リソース割当単位を構成する方法を説明する。
【０１１９】
以下、各サイトでＦＤＤを使用する場合及びＴＤＤを使用する場合の各々に対してリソース割当単位に基づいて複数のサイトにリソースを割り当てる方法を説明する。
【０１２０】
<ＦＤＤシステムにおいて、ＨＡＲＱプロセスタイミングによるＴＤＭ>
【０１２１】
ＬＴＥでデータチャネルには送信の効率性のためにＨＡＲＱが適用される。ダウンリンクの場合、データ(ＰＤＳＣＨ)の正常受信可否を示すＡＣＫ/ＮＡＣＫがＰＵＣＣＨを介してフィードバックされる。このとき、基地局と端末との間の伝達遅延及び処理遅延を考慮して、ＡＣＫ/ＮＡＣＫは、データ送信後、一定時間(ｋｍｉｎ)後に送信されるように規定されている。基地局は、ＡＣＫ/ＮＡＣＫ受信後、一定時間(ｋｍｉｎ)後にデータを再送信することができる。
【０１２２】
ＦＤＤの場合、最大８個のＨＡＲＱプロセスを同時に設定することができる。アップリンクの場合にも同様にアップリンクグラントの受信、ＰＵＳＣＨの送信、ＰＨＩＣＨを介したＡＣＫ/ＮＡＣＫ受信またはアップリンクグラントの受信の順序にＨＡＲＱプロセスが進行され、最大８個のＨＡＲＱプロセスが実行されることができる。
【０１２３】
このように設定されたＨＡＲＱを効率的に運用するためには、ＨＡＲＱ周期によるＴＤＭ方式を適用することが好ましい。即ち、ＦＤＤでは、８サブフレーム(８ｍｓ)がＨＡＲＱ周期になるため、８個のサブフレームをＴＤＭ方式に分割することができる。即ち、リソース割当単位は、８個のサブフレームで構成されることができる。リソース割当単位内で各サイトに割り当てられるサブフレームは、ＴＤＭ方式に分割される。即ち、前記リソース割当単位に含まれるサブフレームの個数は、前記複数のサイトの各々でのＨＡＲＱ(ｈｙｂｒｉｄ  ａｕｔｏｍａｔｉｃ  ｒｅｐｅａｔ  ｒｅｑｕｅｓｔ)周期に基づいて決定されることができる。
【０１２４】
図１６は、ＦＤＤ方式に動作する３個のサイトに対してＴＤＭ方式にリソースを割り当てる例を示す。
【０１２５】
３個のサイトを各々サイトＡ、Ｂ、Ｃという。
【０１２６】
図１６を参照すると、ダウンリンク(ＤＬ)搬送波で８個の連続するサブフレームがリソース割当単位になる。前記８個の連続するサブフレームのうち、サイトＡに３個のサブフレームを割り当て、サイトＢに３個のサブフレームを割り当て、サイトＣに２個のサブフレームを割り当てることができる。
【０１２７】
また、アップリンク(ＵＬ)搬送波でも８個の連続するサブフレームがリソース割当単位になる。前記８個の連続するサブフレームのうち、サイトＡに３個のサブフレームを割り当て、サイトＢに３個のサブフレームを割り当て、サイトＣに２個のサブフレームを割り当てることができる。
【０１２８】
一方、ＰＤＳＣＨを送信するダウンリンクサブフレームの分割によって、ＰＵＣＣＨを送信するアップリンクサブフレームの分割が決定されることができる。または、それに対し、ＰＵＣＣＨを送信するアップリンクサブフレームの分割によって、ＰＤＳＣＨを送信するダウンリンクサブフレームの分割が決定されることもできる。
【０１２９】
即ち、ダウンリンク搬送波とアップリンク搬送波で同じサイトに割り当てられるサブフレームのうち、少なくとも一対のサブフレームは、時間領域でｋｍｉｎ以上離隔されて割り当てられる。例えば、ダウンリンク搬送波でサイトＡに割り当てられたサブフレーム１４１と、アップリンク搬送波でサイトＡに割り当てられたサブフレーム１４２は、ｋｍｉｎ(＝４サブフレーム)ほど離隔されて割り当てられる。
【０１３０】
各サイトに割り当てられるサブフレームは、ビットマップを介して指示されるうことができる。例えば、８ビットで構成されるビットマップを介して各サイトに割り当てられるサブフレームを指示することができる。
【０１３１】
このような方法によると、既存の単一サイトでのＡＣＫ/ＮＡＣＫ送信タイミングを同じく使用することができるという長所がある。特に、同期式で動作するアップリンクＨＡＲＱプロセスの場合、ＨＡＲＱタイミングの変化なくＨＡＲＱの再送信周期を最小化して適用することができるという長所がある。
【０１３２】
ダウンリンクでは、同期式ＨＡＲＱプロセスの周期が明確でないため、ＨＡＲＱプロセス基準でないフレーム周期に設定することができる。アップリンクでは、ＨＡＲＱプロセス基準に設定できる。
【０１３３】
前記方法では、ＨＡＲＱ周期は考慮したが、ＨＡＲＱプロセス番号とサブフレームの対応関係は定めていない。ＨＡＲＱ周期とフレーム内のサブフレーム番号が一致しない場合、ＨＡＲＱ周期にＴＤＭされるサブフレームとフレームとの整列が必要である。
【０１３４】
そのために、システムフレーム番号(ｓｙｓｔｅｍ  ｆｒａｍｅ  ｎｕｍｂｅｒ：ＳＦＮ)をパラメータにし、サブフレームマッピングを実行することができる。
【０１３５】
図１７は、システムフレーム番号とＨＡＲＱ周期を考慮したマッピングの一例である。
【０１３６】
ＦＤＤでは、ＨＡＲＱ周期(＝８サブフレーム)とフレーム内のサブフレーム個数(１０個)の最小公倍数が４０であるため、ＳＦＮが４で割り切れるフレームの１番目のサブフレームから複数のサイトにＴＤＭ方式にリソース割り当てることができる。
【０１３７】
リソース割当単位は、８ｍｓの倍数に設定されることもできる。例えば、８ｍｓと一つのフレームの長さである１０ｍｓの最小公倍数である４０ｍｓとしてリソース割当単位が構成されることができる。このときは、４０ビットで構成されたビットマップを利用して各サイトに割り当てられたサブフレームを知らせることができる。この方法は、ＴＤＤにも適用することができる。
【０１３８】
リソースの分割は、ＤＬ  ＨＡＲＱ、ＵＬ  ＨＡＲＱ別に各セル別ＤＬトラフィック/ＵＬトラフィックによって実行されることができる。しかし、ダウンリンクチャネルの同じサブフレーム内の検出及びアップリンクチャネルの同じサブフレーム内の送信のためにＤＬ  ＨＡＲＱとＵＬ  ＨＡＲＱを対に設定することができる。
【０１３９】
一方、同じＵＬサブフレームでＰＵＣＣＨ−ＰＵＳＣＨ同時送信を常に許容することができる。その理由は、互いに異なるサイト間のスケジューリング情報を知ることができなくて、ＰＵＣＣＨがＰＵＳＣＨにピギーバックされる場合、該当リソースとピギーバック可否を知ることができないためである。
【０１４０】
動作の単純化のために、同じサイトに割り当てられたＰＵＣＣＨ−ＰＵＳＣＨの場合にも同時送信をするように設定することができる。
【０１４１】
ＣＳＩがピギーバックされる場合、ＣＳＩ情報を考慮してアップリンクデータのマッピングをレートマッチングしたものと違って、ＣＳＩのピギーバックは、パンクチャリングする。ＣＳＩがマッピングされるＰＵＳＣＨリソース要素以外の領域で、アップリンクデータのコーディングされたシンボルのＰＵＳＣＨリソース要素に対するマッピングが、レートマッチングの場合、ＣＳＩ有無によって変わるが、パンクチャリングの場合、ＣＳＩ有無によって変わらないためである。
【０１４２】
<ＴＤＤシステムにおいて、ＨＡＲＱプロセスタイミングによるＴＤＭ>
【０１４３】
ＴＤＤの場合、ＦＤＤと違って、一つのサブフレーム区間にはＤＬサブフレームまたはＵＬサブフレームのうち一つのみが存在する。また、ＵＬ−ＤＬ設定によって、ＤＬサブフレームとＵＬサブフレームの比が異なるように設定されることができる。
【０１４４】
したがって、ＰＤＳＣＨ受信、ＡＣＫ/ＮＡＣＫ送信、ＰＤＳＣＨ再受信のタイミングとＰＵＳＣＨ送信、ＵＬグラント/ＰＨＩＣＨ受信、ＰＵＳＣＨ再送信のタイミングがＵＬ−ＤＬ設定によって変わる。これは図８乃至図１０、図１２、図１３を参照して既に説明した。
【０１４５】
前述したように、ＴＤＤではＤＬ  ＨＡＲＱ周期がＵＬ−ＤＬ設定別に変わる。ＤＬ  ＨＡＲＱプロセスの効率的な分配のためには、ＤＬ  ＨＡＲＱ周期内のＤＬサブフレーム個数(即ち、最大ＤＬ  ＨＡＲＱプロセス個数)を基準にリソース割当単位を構成することができる。ビットマップを利用してリソース割当単位を各サイトに知らせることができ、ビットマップを構成するビット数は、ＤＬ  ＨＡＲＱプロセス周期内のＤＬサブフレームの個数と同じである。
【０１４６】
以下の表は、各ＵＬ−ＤＬ設定別に決定される最大ＤＬ  ＨＡＲＱプロセスの個数を示す。
【０１４７】
【表４】
2016519885.tif 000006
【０１４８】
ＦＤＤで言及したように、ＨＡＲＱ周期が１０ｍｓでない場合、ＨＡＲＱ周期にＴＤＭされるサブフレームとフレームとのＴＤＭ周期設定間の整列が必要である。そのために、システムフレーム番号をパラメータにしてサブフレームのマッピングが必要である。例えば、ＤＬ  ＨＡＲＱ周期(Ｂ)と一つのフレーム内に存在するＤＬサブフレームの個数(Ａ)の最小公倍数に決定されるＤＬサブフレームの個数(Ｃ)を周期に整列することができる。
【０１４９】
前記表４において、ＵＬ−ＤＬ設定１の場合、一つのフレームには６個のＤＬサブフレームが存在し、ＨＡＲＱ周期は７ｍｓである。したがって、最小公倍数(ｌｅａｓｔ  ｃｏｍｍｏｎ  ｍｕｌｔｉｐｌｅ：ＬＣＭ)は、４２サブフレームになる。４２個のＤＬサブフレームは、総７個のフレーム内に含まれる。この場合、複数のサイトに共通的に使われるリソース割当単位は、７フレーム(７０ｍｓ)で構成されることができる。
【０１５０】
即ち、ＴＤＤを使用する複数のサイトに対するリソース割当単位は、一つのフレーム内に含まれている、ダウンリンクサブフレームの個数とダウンリンクＨＡＲＱプロセスの最大個数の最小公倍数を求め、前記最小公倍数の個数ほどのダウンリンクサブフレームを含むフレームの個数に決定されることができる。
【０１５１】
リソース割当単位は、構成の単純化のために特定ＵＬ−ＤＬ設定で決定された値を他のＵＬ−ＤＬ設定に適用することができる。
【０１５２】
前述したように、ＤＬ  ＨＡＲＱ周期、ＤＬ  ＨＡＲＱプロセス個数に基づいてリソース割当単位を決定することができる。リソース割当単位内で各サイトに配分されるサブフレームは、まず、ＰＤＳＣＨを基準に決定され、ＰＤＳＣＨに対するＡＣＫ/ＮＡＣＫが送信されるＰＵＣＣＨサブフレームが決定されることができる。
【０１５３】
以下の表は、各ＵＬ−ＤＬ設定において、ＵＬサブフレームｎに対応されるＤＬサブフレームｎ−ｋｍの対応関係を示す。即ち、サブフレームｎ−ｋｍで送信されるＰＤＳＣＨに対するＡＣＫ/ＮＡＣＫがＵＬサブフレームｎで送信されることを示す。
【０１５４】
【表５】
2016519885.tif 000007
【０１５５】
複数のサイトでの独立的なスケジューリングのためのＴＤＭを考慮する場合、ＰＵＣＣＨリソースの衝突が発生できる。これを避けるために、ＰＵＣＣＨ送信ＵＬサブフレームに対応されるＤＬサブフレームを集合にしてＴＤＭする方法を適用することができる。したがって、ＰＵＣＣＨが送信されるＵＬサブフレームの分割によって、ＰＤＳＣＨが送信されるＤＬサブフレームの分割が決定されることができる。これはＵＬサブフレームがＤＬサブフレームの個数より多くて、一つのＵＬサブフレームに複数のＤＬサブフレームが対応されるＵＬ−ＤＬ設定１、２、３、４、５にのみ適用することができる。
【０１５６】
以下、ＵＬ同期式ＨＡＲＱを考慮してリソース割当単位を決定する方法に対して説明する。
【０１５７】
ＵＬ  ＨＡＲＱプロセスの効率的な配分のために、ＵＬ  ＨＡＲＱ周期内のＵＬサブフレームの個数を基準にリソース割当単位を決定することができる。即ち、ＵＬ  ＨＡＲＱプロセス個数を基準にリソース割当単位を決定することができる。各サイトにビットマップでリソース割当単位を知らせる場合、ビットマップのビット数は、ＵＬ  ＨＡＲＱ周期内のＵＬサブフレームの個数と同じである。
【０１５８】
以下の表は、各ＵＬ−ＤＬ設定別に決定される最大ＵＬ  ＨＡＲＱプロセスの個数を示す。
【０１５９】
【表６】
2016519885.tif 000008
【０１６０】
一方、ＨＡＲＱ周期が１０ｍｓでない場合、ＨＡＲＱ周期にＴＤＭされるサブフレームとフレームとのＴＤＭ周期設定に整列が必要である。そのために、システムフレーム番号をパラメータにしてマッピングを実行することもできる。
【０１６１】
例えば、ＵＬサブフレーム個数基準のＵＬ  ＨＡＲＱ周期(Ｂ)と一つのフレーム内のＵＬサブフレームの個数(Ａ)の最小公倍数に決定されるＵＬサブフレームの個数(Ｃ)を周期にリソース割当単位を整列することができる。
【０１６２】
前記表６において、ＵＬ−ＤＬ設定０の場合、一つのフレームには６個のＵＬサブフレームが存在し、ＨＡＲＱ周期は７ｍｓであるため、最小公倍数は４２サブフレームになる。これをフレーム数に換算すると、７フレームになる。したがって、リソース割当単位は、７フレームで構成されることができる。
【０１６３】
構成の単純化のために、特定ＵＬ−ＤＬ設定で決定された値を他のＵＬ−ＤＬ設定にも適用することができる。特に、ＤＬ非同期ＨＡＲＱとの連動を考慮してＵＬ−ＤＬ設定１〜５の場合、１０ｍｓの倍数(例えば、２０ｍｓ)に周期を設定することができる。
【０１６４】
ＰＵＳＣＨ送信のためのＵＬサブフレーム分割によって、ＵＬグラント/ＰＨＩＣＨ送信ＤＬサブフレームが決定されることができる。ＵＬ−ＤＬ設定０の場合、ＵＬサブフレームの個数がＤＬサブフレームの個数より多いため、複数のＵＬサブフレームに対応されるＤＬサブフレームでのＵＬグラント送信衝突を避けるように設定しなければならない。
【０１６５】
ＵＬサブフレームインデックスフィールドは、ＴＤＭに割当を受けたＵＬに対応されるビットのみをスケジューリングに使用することができる。
【０１６６】
一方、ＰＨＩＣＨの場合、複数のＵＬサブフレームに対応されるＤＬサブフレームではＩＰＨＩＣＨを適用することによって各ＵＬサブフレーム別衝突されないリソースに区分される。
【０１６７】
したがって、Ｅ−ＰＨＩＣＨなどが導入される場合、該当サブフレームでＩＰＨＩＣＨによる独立的なリソースの設定が必要である。
【０１６８】
ＰＨＩＣＨリソースによるリソース区分を設定し、これに対応されるＵＬサブフレームのＴＤＭをすることもできる。
【０１６９】
ＴＤＤの場合、ＤＬ  ＨＡＲＱによるＰＤＳＣＨ送信ＤＬサブフレームとＰＵＣＣＨ送信ＵＬサブフレームとの間隔が、ＵＬ  ＨＡＲＱによるＰＵＳＣＨ送信ＵＬサブフレームとＵＬグラント/ＰＨＩＣＨ送信ＤＬサブフレームとの間隔と異なる。したがって、整列が難しい。ＤＬ  ＨＡＲＱに連関されたチャネルに対するＴＤＭとＵＬ  ＨＡＲＱに連関されたチャネルに対するＴＤＭは、独立的に設定することが好ましい。
【０１７０】
本発明によると、同じ周波数帯域を使用する複数のサイトにＴＤＭ方式にリソース割当をする時、リソースを効率的に分割する基準及び方法を提供する。
【０１７１】
図１８は、本発明の実施例が具現される無線機器を示すブロック図である。
【０１７２】
各サイトには基地局及び端末が位置できる。
【０１７３】
基地局１００は、プロセッサ(ｐｒｏｃｅｓｓｏｒ)１１０、メモリ(ｍｅｍｏｒｙ)１２０及びＲＦ部(ＲＦ(ｒａｄｉｏ  ｆｒｅｑｕｅｎｃｙ)  ｕｎｉｔ)１３０を含む。プロセッサ１１０は、提案された機能、過程及び/または方法を具現する。メモリ１２０は、プロセッサ１１０と連結され、プロセッサ１１０を駆動するための多様な情報を格納する。ＲＦ部１３０は、プロセッサ１１０と連結され、無線信号を送信及び/または受信する。特定基地局は、同じ周波数帯域を使用する他の基地局にリソース割当単位に基づいてリソースを割り当てることができる。
【０１７４】
端末２００は、プロセッサ２１０、メモリ２２０及びＲＦ部２３０を含む。プロセッサ２１０は、提案された機能、過程及び/または方法を具現する。メモリ２２０は、プロセッサ２１０と連結され、プロセッサ２１０を駆動するための多様な情報を格納する。ＲＦ部２３０は、プロセッサ２１０と連結され、無線信号を送信及び/または受信する。
【０１７５】
プロセッサ１１０、２１０は、ＡＳＩＣ(ａｐｐｌｉｃａｔｉｏｎ−ｓｐｅｃｉｆｉｃ  ｉｎｔｅｇｒａｔｅｄ  ｃｉｒｃｕｉｔ)、他のチップセット、論理回路、データ処理装置及び/またはベースバンド信号及び無線信号を相互変換する変換器を含むことができる。メモリ１２０、２２０は、ＲＯＭ(ｒｅａｄ−ｏｎｌｙ  ｍｅｍｏｒｙ)、ＲＡＭ(ｒａｎｄｏｍ  ａｃｃｅｓｓ  ｍｅｍｏｒｙ)、フラッシュメモリ、メモリカード、格納媒体及び/または他の格納装置を含むことができる。ＲＦ部１３０、２３０は、無線信号を送信及び/または受信する一つ以上のアンテナを含むことができる。実施例がソフトウェアで具現される時、前述した技法は、前述した機能を遂行するモジュール(過程、機能など)で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段によりプロセッサ１１０、２１０と連結されることができる。
【図１】
2016519885.tif 000009
【図２】
2016519885.tif 000010
【図３】
2016519885.tif 000011
【図４】
2016519885.tif 000012
【図５】
2016519885.tif 000013
【図６】
2016519885.tif 000014
【図７】
2016519885.tif 000015
【図８】
2016519885.tif 000016
【図９】
2016519885.tif 000017
【図１０】
2016519885.tif 000018
【図１１】
2016519885.tif 000019
【図１２】
2016519885.tif 000020
【図１３】
2016519885.tif 000021
【図１４】
2016519885.tif 000022
【図１５】
2016519885.tif 000023
【図１６】
2016519885.tif 000024
【図１７】
2016519885.tif 000025
【図１８】
2016519885.tif 000026
【国際調査報告】
2016519885.tif 000027
2016519885.tif 000028
2016519885.tif 000029
2016519885.tif 000030